(57)【特許請求の範囲】
【請求項１】
裏側の上側の重心を挟んだ左右に２つの継手が設けられた壁面パネル本体を有し、この壁面パネル本体の前記継手が躯体に取り付けられることで断熱遮音効果と免震構造とが具備されて構成される壁面パネルであって、
前記継手は上側へ突出し、下側へ開放する弧面で形成される凹部を後側の下側に備え、前記凹部の最上部が前記躯体に設けられた受け部の上端に接して前記躯体の前後方向へ移動可能に取り付けられることにより、
熱、音が伝達されにくくなる断熱遮音効果が備えられ、かつ、振動の伝達を前記凹部の弧面が前記受け部の上端上を滑動して逃がすとともに、振動が作用しなくなると前記凹部の弧面の最上部に前記受け部の上端が位置決めされる免震構造が備えられた、
ことを特徴とする断熱遮音効果と免震構造とが具備されて構成される壁面パネル。
【発明の詳細な説明】
【技術分野】
【０００１】
この発明は、躯体に取り付けられることで断熱遮音効果と免震構造とが具備されて構成される壁面パネルに関するものである。
【背景技術】
【０００２】
従来の壁面パネル、および、従来の壁面パネルの取付方法の一例を示すと、図２０の平面図に相当する説明図に示すように、躯体としての内壁パネル１の外面（室外側面）に躯体としても機能する平断面が角張ったＣ字形状の支柱材２を、支柱材２の一端外面を内壁パネル１に当接（密接）させた状態に取付ねじ（タップねじ）３で取り付け、支柱材２の他端外面に、支柱材２を避ける状態で断熱材５を取り付けた外壁パネルなどの壁面パネル４の裏面を当接（密接）させた状態に取付ねじ（タップねじ）６で取り付ける。
なお、断熱材は、内壁パネル１と壁面パネル４との間に充填させてもよい（例えば、非特許文献１参照。）。
【０００３】
【非特許文献１】カタログ「ファイヤロック  スーパーフォーム」  日東紡  平成１７年１２月作成
【発明の開示】
【発明が解決しようとする課題】
【０００４】
上記したように、内壁パネル１と壁面パネル４とを、内壁パネル１と壁面パネル４とに支柱材２を取付ねじ３，６で密接（密着）させて連結すると、取付ねじ３，６および密接部分を介して熱、音が伝達されるので、壁面パネル４に作用する熱、音が取付ねじ６、支柱材２、取付ねじ３および内壁パネル１を介して室内へ伝達されるため、壁面パネル４は断熱遮音効果の得られないものであった。
【０００５】
この発明は、上記したような不都合を解消するためになされたもので、躯体に取り付けられることで断熱遮音効果と免震構造とが具備されて構成される壁面パネルを提供するものである。
【課題を解決するための手段】
【０００６】
この発明は、以下のような発明である。
（１）裏側の上側の重心を挟んだ左右に２つの継手が設けられた壁面パネル本体を有し、この壁面パネル本体の前記継手が躯体に取り付けられることで断熱遮音効果と免震構造とが具備されて構成される壁面パネルであって、前記継手は上側へ突出し、下側へ開放する弧面で形成される凹部を後側の下側に備え、前記凹部の最上部が前記躯体に設けられた受け部の上端に接して前記躯体の前後方向へ移動可能に取り付けられることにより、熱、音が伝達されにくくなる断熱遮音効果が備えられ、かつ、振動の伝達を前記凹部の弧面が前記受け部の上端上を滑動して逃がすとともに、振動が作用しなくなると前記凹部の弧面の最上部に前記受け部の上端が位置決めされる免震構造が備えられたことを特徴とする。
【発明の効果】
【０００７】
この発明によれば、壁面パネルにおいて、継手が上側へ突出し、下側へ開放する弧面で形成される凹部を後側の下側に備え、この凹部の最上部が躯体に設けられた受け部の上端に接して躯体の前後方向へ移動可能に取り付けられることにより、受け部と継手との接触部分が少なくなることにより、熱が伝達されにくくなり、断熱効果が得られる。
また、振動の伝達を凹部の弧面が受け部の上端上を滑動して逃がすとともに、振動が作用しなくなると凹部の弧面の最上部に受け部の上端が位置決めされるので、地震や音圧による振動の伝達を継手の滑動で逃がすことによって免震構造となり、これまで困難であった地震波や低周波音の遮断特性が向上し、遮音効果が得られる。
さらに、継手の弧面の所定位置に受け部を位置決めするので、地震や音圧による振動などが壁面パネルに作用しない通常の状態では、躯体と壁面パネルとの間隔を一定に保つことができる。
そして、２つの継手を、壁面パネル本体の重心を挟んだ左右に設けたので、壁面パネル本体の重量で２つの継手がそれぞれ浮くことなく受け部に押し付けられることにより、受け部と継手との間にがたつきが生じなくなる。
【発明を実施するための最良の形態】
【０００８】
以下、この発明の実施例を図に基づいて説明する。
【０００９】
図１（ａ）はこの発明の第１実施例である壁面パネルの裏面図、図１（ｂ）は図１（ａ）に示した壁面パネルの右側面図、図２はこの発明の第１実施例である壁面パネルの第１取付方法に使用する支柱材、パネル継手、受け部材などを示す分解斜視図、図３（ａ）はこの発明の第１実施例である壁面パネルを第１取付方法で取り付けた状態の正面図に相当する説明図、図３（ｂ）は図３（ａ）に示した壁面パネルの取付状態の右側面図に相当する説明図、図４はこの発明の第１実施例である壁面パネルを第１取付方法で取り付けた状態の平面図に相当する説明図、図５はこの発明の第１実施例である壁面パネルを第１取付方法で取り付けた状態の右側面図に相当する説明図、図６（ａ）はこの発明の第１実施例である壁面パネルを第１取付方法で取り付けた状態におけるパネル継手と受け部材との位置関係を示す説明図、図６（ｂ）はこの発明の第１実施例である壁面パネルを第１取付方法で取り付けた状態における継手と受け部材との位置関係などを示す説明図、図７は受け部のメカニズムを示す説明図である。
なお、以下の実施例は、例えば、遮音壁を構築する場合のものである。
【００１０】
図１（ａ），（ｂ）において、５１は壁面パネルを示し、例えば、横が８００ｍｍの長さで、縦が２５０ｍｍの高さで、奥行き（厚み）が３５ｍｍとされた壁面パネル本体５２と、この壁面パネル本体５２の裏側の上側（例えば、上縁、上縁近傍）に壁面パネル本体５２の重心を挟んで左右方向へ、例えば、左端から２００ｍｍ（全体の長さの１／４）の位置、および、右端から２００ｍｍ（全体の長さの１／４）の位置に位置させ、縦方向（垂直方向）に起立させて設けられた２つの継手５３と、この２つの継手５３に対応する壁面パネル本体５２の裏側の下側（例えば、下縁、下縁近傍）に、すなわち、左右端から長さの１／４の位置に設けられ、下側の壁面パネル本体５２に設けられた継手５３の切欠５３ｂ内へ挿入する挿入部としての、２つの弾性挿入片５４とで構成されている。
そして、継手５３には、後側の下側に、下側へ開放する凹部５３ａが設けられ、この凹部５３ａよりも前側の上側に、上側へ開放して壁面パネル本体５２の裏側に位置する収容部としての切欠５３ｂが設けられている。
なお、凹部５３ａは、上側が、後述する受け部材４１を構成する三角形軸部４２の断面を内包する直径よりも大きな直径の、三角形軸部４２が当接し、滑動する円弧状の弧面で、この弧面の幅（前後方向の長さ）が最大になった円弧の直径の幅で下側へ切り欠かれている。
【００１１】
図２において、２１は躯体として機能する、平断面が角張ったＣ字形の支柱材を示し、図３（ａ），（ｂ）に示すように、例えば、４００ｍｍの間隔に立てた状態に設ける。
なお、住宅などの断熱遮音壁構造とする場合は、図４および図５に示すように、躯体としての内壁パネル１１の外面（室外側面）に、例えば、４００ｍｍの間隔に取付ねじ（タップねじ）２２で縦方向（垂直方向）に取り付けられる。
そして、支柱材２１の対向する、例えば、厚さが１ｍｍ程度の片の一方に、上下方向に２５０ｍｍの間隔で後述するボルト３３の軸部が挿入可能な円形の取付孔２１ａが設けられている。
【００１２】
３１は躯体として機能するパネル継手を示し、縦方向（垂直方向）に起立して対面する矩形状の２つの支持片３２Ａと、この２つの支持片３２Ａの一端（後端）を連結し、ボルト３３およびナット３４によって支柱材２１の取付孔２１ａ部分に取り付けられる取付片３２Ｂとで構成されている。
そして、２つの支持片３２Ａには、受け部保持部として機能する、受け部材４１の三角形軸部４２が挿通される上側へ尖った三角形孔３２ａが同一中心線上に設けられている。
【００１３】
４１は受け部材を示し、パネル継手３１の三角形孔３２ａへ挿通可能な、三角形孔３２ａと相似の三角形で、継手５３の凹部５３ａの幅（凹部５３ａの円弧の直径）よりも小さい幅（前後方向の長さ）の三角柱からなる受け部としての三角形軸部４２と、この三角形軸部４２の一端に設けられ、パネル継手３１の三角形孔３２ａよりも大きな直径の頭部４３とで構成されている。
そして、受け部材４１は、三角形軸部４２の頭部４３と反対側に設けられた貫通孔４２ａに挿通され、三角形軸部４２がパネル継手３１の三角形孔３２ａから横方向（水平方向）へ抜けるのを阻止する止めピン４４により、パネル継手３１に取り付けられる。
【００１４】
次に、壁面パネル５１の取付（壁面構築）の一例について説明する。
まず、支柱材２１を、図３（ａ），（ｂ）に示すように、４００ｍｍの間隔で、取付孔２１ａが同じ高さとなるように立てた状態に設ける。
なお、断熱遮音壁構造とする場合は、図３（ａ），（ｂ）に示すように、内壁パネル１１の外面に支柱材２１を取付ねじ２２（図４および図５参照）によって４００ｍｍの間隔で、取付孔２１ａが同じ高さとなるように取り付ける。
このように支柱材２１を設置した場合、下端の取付孔２１ａと、基礎との間は、壁面パネル５１を一枚取り付けることのできる間隔とされる。
【００１５】
そして、各支柱材２１の各取付孔２１ａ、ボルト３３およびナット３４を用い、図４および図５に示すように、パネル継手３１を各支柱材２１の各取付孔２１ａ部分に取り付けた後、２つの支持片３２Ａの三角形孔３２ａに受け部材４１の三角形軸部４２を挿通し、支持片３２Ａから突出した三角形軸部４２に設けられている貫通孔４２ａに止めピン４４を挿通させて取り付けることにより、パネル継手３１の三角形孔３２ａに三角形軸部４２（受け部材４１）を、図６（ａ）に示すように、取り付ける。
または、２つの支持片３２Ａの三角形孔３２ａに受け部材４１の三角形軸部４２を挿通し、支持片３２Ａから突出した三角形軸部４２に設けられている貫通孔４２ａに止めピン４４を挿通させて取り付けることにより、パネル継手３１の三角形孔３２ａに三角形軸部４２（受け部材４１）を取り付けたパネル継手３１を、各支柱材２１の各取付孔２１ａ、ボルト３３およびナット３４を用い、図４および図５に示すように、各支柱材２１の各取付孔２１ａ部分に取り付ける。
【００１６】
次に、壁面パネル５１の裏面に取り付けられている２つの継手５３を、例えば、図３（ａ）の最下段の右端に位置する２つの受け部材４１の三角形軸部４２に、図４および図５に示すように、乗せ掛け、各継手５３の凹部５３ａ内に三角形軸部４２をそれぞれ位置させてパネル継手３１と継手５３とに三角形軸部４２を狭持させることにより、パネル継手３１（支柱材２１）に壁面パネル５１を取り付けることができ、三角形軸部４２は、図６（ｂ）に示すように、継手５３の凹部５３ａに収容される。
以後、先に取り付けた壁面パネル５１の左側へ順次並べるようにして一段（最下段）目の壁面パネル５１をパネル継手３１（支柱材２１）に取り付ける。
なお、一段目の壁面パネル５１には弾性挿入片５４を設けずにパネル継手３１（支柱材２１）に取り付けて横方向へ順次並べたり、または、一段目の壁面パネル５１に設けた弾性挿入片５４を基礎に設けた穴（収容部）内へ挿入したり、または、挿入して固定する。
【００１７】
次に、二段目の壁面パネル５１を取り付ける場合は、壁面パネル５１を左右方向へ長さの半分（４００ｍｍ）ずらせた後、一段目の壁面パネル５１の切欠５３ｂ内へ二段目の壁面パネル５１の弾性挿入片５４をそれぞれ挿入（圧入）しながら壁面パネル５１をパネル継手３１（支柱材２１）に取り付ける。
このように、弾性挿入片５４を切欠５３ｂ内へ挿入（圧入）すると、図５、図６（ｂ）に示すように、弾性挿入片５４は、下端が切欠５３ｂの底に当接せずに、切欠５３ｂの前後面（切欠５３ｂを形成する前後面）に弾性的に当接する。
以後の三段目、四段目、・・・も二段目と同様に順次壁面パネル５１をパネル継手３１（支柱材２１）に取り付けることにより、図３（ａ），（ｂ）に示すように、支柱材２１に壁面パネル５１を隙間なく取り付けることができる。
【００１８】
このようにして受け部材４１を介してパネル継手３１に継手５３を取り付けると、継手５３の凹部５３ａの上側が受け部材４１の三角形軸部４２の幅よりも大きい弧面なので、図６（ｂ）に示すように、三角形軸部４２は三角形孔３２ａの最上部に位置決めされる。
したがって、地震や音圧による振動などが壁面パネル５１に作用しない通常の状態では、支柱材２１（内壁パネル１１）と壁面パネル５１との間隔を一定に保つことができる。
【００１９】
次に、三角形軸部４２（受け部）の作用について説明する。
上述したように、三角形軸部４２を介してパネル継手３１（支柱材２１）に継手５３を取り付けると、図７に示すように、三角形軸部４２と継手５３とが線接触になり、三角形軸部４２と継手５３との接触部分が少なくなるので、壁面パネル５１に作用する熱は支柱材２１（内壁パネル１１）へ伝達されにくくなり、断熱効果が得られる。
また、図７に示すように、継手５３が三角形軸部４２上を滑動できるので、地震や音圧による振動の伝達を継手５３の滑動で逃がすことによって免震構造となり、これまで困難であった地震波や低周波音の遮断特性が向上し、遮音効果が得られる。
【００２０】
この発明の第１実施例によれば、三角形軸部４２（受け部）に対して前後方向へ移動可能な継手５３でパネル継手３１（支柱材２１）（躯体）に対して壁面パネル５１を取り付けるので、三角形軸部４２と継手５３との接触部分が少なくなることにより、熱が伝達されにくくなり、断熱効果が得られる。
また、継手５３が弧面で三角形軸部４２上を滑動できるので、地震や音圧による振動の伝達を継手５３の滑動で逃がすことによって免震構造となり、これまで困難であった地震波や低周波音の遮音効果が得られる。
さらに、継手５３の凹部５３ａに設けられた弧面の所定位置に三角形軸部４２を位置決めするので、地震や音圧による振動などが壁面パネル５１に作用しない通常の状態では、パネル継手３１と壁面パネル５１との間隔を一定に保つことができる。
そして、上側の壁面パネル５１の弾性挿入片５４が下側の壁面パネル５１の切欠５３ｂ（収容部）の前後面に当接するので、壁面パネル５１の下側を前後方向へがたつかないように位置決めすることができる。
さらに、２つの継手５３を、壁面パネル本体５２の重心を挟んだ左右に設けたので、壁面パネル本体５２の重量で２つの継手５３がそれぞれ浮くことなく三角形軸部４２に押し付けられることにより、三角形軸部４２と継手５３との間にがたつきが生じなくなる。
【００２１】
図８はこの発明の第１実施例である壁面パネルの第２取付方法に使用する支柱材、パネル継手、受け部材などを示す分解斜視図であり、図１〜図７と同一または相当部分に同一符号を付し、その説明を省略する。
【００２２】
図８において、パネル継手３１の２つの支持片３２Ａには、受け部保持部として機能する凹部３２ｂが同一中心線上に設けられている。
この凹部３２ｂは、下側（底）が平坦で、受け部材４１を構成する三角形軸部４２の幅（前後方向の長さ）よりも僅かに大きな幅で上側へ切り欠かれている。
したがって、受け部材４１の三角形軸部４２は、２つの凹部３２ｂ内に上側へ尖った状態で位置決めされる。
【００２３】
このパネル継手３１を使用して図１に示す壁面パネル５１をパネル継手３１（支柱材２１）に取り付ける場合は、止めピン４４を取り付けた受け部材４１の三角形軸部４２を２つの支持片３２Ａの凹部３２ｂ内へ上側から落とし込む（挿入する）ことにより、受け部材４１をパネル継手３１に、横方向（水平方向）へ抜けないように簡単に取り付けることができる。
なお、受け部材４１の取付方法以外の、壁面パネルの取付（壁面構築）方法、受け部材４１の作用、効果などは、図１〜図７に示した実施例の説明と同様になるので、その説明を省略する。
【００２４】
図９はこの発明の第１実施例である壁面パネルの第３取付方法に使用する受け部を示す斜視図、図１０はこの発明の第１実施例である壁面パネルを第３取付方法で取り付けた状態の平面図に相当する説明図、図１１はこの発明の第１実施例である壁面パネルを第３取付方法で取り付けた状態の右側面図に相当する説明図であり、図１〜図８と同一または相当部分に同一符号を付し、その説明を省略する。
【００２５】
図９において、躯体として機能する、平断面が角張ったＣ字形の支柱材２１には、対向する片の一方に、上下方向に２５０ｍｍの間隔で継手５３が挿入可能な挿通孔２１ｂが設けられ、この挿通孔２１ｂの下端縁が受け部２１ｃとされている。
【００２６】
次に、壁面パネル５１の取付（壁面構築）の一例について説明する。
まず、支柱材２１を、図３（ａ），（ｂ）に示すように、４００ｍｍの間隔で、受け部２１ｃが同じ高さとなるように立てた状態に設ける。
なお、断熱遮音壁構造とする場合は、図３（ａ），（ｂ）に示すように、内壁パネル１１の外面に支柱材２１を取付ねじ２２（図４および図５参照）によって４００ｍｍの間隔で、受け部２１ｃが同じ高さとなるように取り付ける。
このように支柱材２１を設置した場合、下端の受け部２１ｃと、基礎との間は、壁面パネル５１を一枚取り付けることのできる間隔とされる。
【００２７】
そして、壁面パネル５１の裏面に取り付けられている２つの継手５３を、例えば、図３（ａ）の最下段の右端に位置する２つの挿通孔２１ｂへ挿入し、図１０および図１１に示すように、凹部５３ａ内に受け部２１ｃを位置させて継手５３を受け部２１ｃに引っ掛けることにより、壁面パネル５１を支柱材２１に取り付けることができ、受け部２１ｃは、図１１に示すように、継手５３の凹部５３ａに収容される。
以後、先に取り付けた壁面パネル５１の左側へ順次並べるようにして一段（最下段）目の壁面パネル５１を支柱材２１に取り付ける。
なお、一段目の壁面パネル５１には弾性挿入片５４を設けずに支柱材２１に取り付けて横方向へ順次並べたり、または、一段目の壁面パネル５１に設けた弾性挿入片５４を基礎に設けた穴（収容部）内へ挿入したり、または、挿入して固定する。
【００２８】
次に、二段目の壁面パネル５１を取り付ける場合は、壁面パネル５１を左右方向へ長さの半分（４００ｍｍ）ずらせた後、２つの継手５３を二段目の２つの挿通孔２１ｂへ挿入した後、凹部５３ａ内に受け部２１ｃを位置させるとともに、一段目の壁面パネル５１の切欠５３ｂ内へ二段目の壁面パネル５１の弾性挿入片５４をそれぞれ挿入（圧入）しながら継手５３を受け部２１ｃに引っ掛けることにより、壁面パネル５１を支柱材２１に取り付ける。
このように、弾性挿入片５４を切欠５３ｂ内へ挿入（圧入）すると、図１１に示すように、弾性挿入片５４は、下端が切欠５３ｂの底に当接せずに、切欠５３ｂの前後面（切欠５３ｂを形成する前後面）に弾性的に当接する。
以後の三段目、四段目、・・・も二段目と同様に順次壁面パネル５１を支柱材２１に取り付けることにより、図３（ａ），（ｂ）に示すように、支柱材２１に壁面パネル５１を隙間なく取り付けることができる。
【００２９】
このようにして受け部２１ｂに継手５３を取り付けると、継手５３の凹部５３ａの上側が円弧なので、図１１に示すように、受け部２１ｃの上端は凹部５３ａの最上部に位置決めされる。
したがって、地震や音圧による振動などが壁面パネル５１に作用しない通常の状態では、支柱材２１（内壁パネル１１）と壁面パネル５１との間隔を一定に保つことができる。
なお、受け部２１ｃの作用、効果は、図１〜図７に示した実施例の説明と同様になるので、その説明を省略する。
【００３０】
図１２はこの発明の第２実施例である壁面パネル、および、この発明の第２実施例である壁面パネルの第１取付方法に使用する支柱材、パネル継手、受け部材などを示す分解斜視図であり、図１〜図１１と同一または相当部分に同一符号を付し、その説明を省略する。
なお、壁面パネルの図示を省略した部分は、図１に示した壁面パネルと同様な構成とされている。
【００３１】
図１２において、図１に示すように、壁面パネル５１の裏側上縁に突出させて取り付けられる継手５３には、受け部材４１の三角形軸部４２の断面を内包する直径よりも大きな直径で、上側へ尖った三角形軸部４２の角が当接し、滑動する円弧面を有した円形孔５３ｃが設けられている。
したがって、継手５３は、円形孔５３ｃの最上部で受け部材４１の三角形軸部４２と線接触となる。
【００３２】
このパネル継手３１を使用して第２実施例の壁面パネルを取り付け、壁面を構築する場合は、パネル継手３１の２つの三角形孔３２ａの間に継手５３の円形孔５３ｃを位置させるとともに、三角形孔３２ａおよび円形孔５３ｃを同一中心線上に位置させた状態で、受け部材４１の三角形軸部４２を一方の三角形孔３２ａから円形孔５３ｃ、他方の三角形孔３２ａへと挿通し、他方の三角形孔３２ａから突出した三角形軸部４２に設けられている貫通孔４２ａに止めピン４４を取り付けることにより、パネル継手３１に受け部材４１を介して継手５３（壁面パネル）を取り付けることができる。
なお、受け部材４１および壁面パネルの取付方法以外の、受け部材４１の作用、効果などは、図１〜図７に示した実施例の説明と同様になるので、その説明を省略する。
【００３３】
この第２実施例の壁面パネルにおいても、第１実施例の壁面パネル５１と同様な効果を得ることができる。
【００３４】
図１３この発明の第２実施例である壁面パネル、および、この発明の第２実施例である壁面パネルの第２取付方法に使用する支柱材、パネル継手、受け部材などを示す分解斜視図であり、図１〜図１２と同一または相当部分に同一符号を付し、その説明を省略する。
【００３５】
このパネル継手３１を使用して第２実施例の壁面パネルを取り付ける場合は、例えば、継手５３の円形孔５３ｃに受け部材４１の三角形軸部４２を挿通し、貫通孔４２ａに止めピン４４を取り付けて受け部材４１を継手５３に取り付けた状態で、２つの支持片３２Ａの間に継手５３を位置させるとともに、三角形軸部４２を２つの凹部３２ｂ内へ挿入することにより、パネル継手３１に受け部材４１を介して継手５３（壁面パネル）を取り付けることができる。
なお、受け部材４１および壁面パネルの取付（壁面構築）方法以外の、コロ４１の作用、効果などは、図１〜図７に示した実施例の説明と同様になるので、その説明を省略する。
【００３６】
図１４（ａ）はこの発明の第３実施例である壁面パネルの裏面図、図１４（ｂ）は図１４（ａ）に示した壁面パネルの右側面図であり、図１〜図１３と同一または相当部分に同一符号を付し、その説明を省略する。
【００３７】
図１４（ａ），（ｂ）において、５１は壁面パネルを示し、例えば、横が８００ｍｍの長さで、縦が２５０ｍｍの高さで、奥行き（厚み）が３５ｍｍとされた壁面パネル本体５２と、この壁面パネル本体５２の裏側の上側（例えば、上縁、上縁近傍）に壁面パネル本体５２の重心を挟んで左右方向へ、例えば、左端から２００ｍｍ（全体の長さの１／４）の位置、および、右端から２００ｍｍ（全体の長さの１／４）の位置に位置させ、縦方向（垂直方向）に起立させて設けられ、壁面パネル本体５２の裏面とで収容部５３ｄを形成する２つの継手５３と、この２つの継手５３に対応する壁面パネル本体５２の裏側の下側（例えば、下縁、下縁近傍）に、すなわち、左右端から長さの１／４の位置に設けられ、下側の壁面パネル本体５２に設けた継手５３の収容部５３ｄ内へ挿入する挿入部としての、２つの弾性挿入片５４とで構成されている。
そして、継手５３には、後側の下側に、下側へ開放する凹部５３ａが設けられている。
【００３８】
この第３実施例の壁面パネル５１を使用して壁面を構築する場合は、図１〜図１１に示したいずれかの取付方法により、躯体に取り付けて壁面を構築することができる。
そして、この第３実施例の壁面パネル５１においても、第１実施例の壁面パネル５１と同様な効果を得ることができる。
【００３９】
図１５（ａ）はこの発明の第４実施例である壁面パネルの裏面図、図１５（ｂ）は図１５（ａ）に示した壁面パネルの右側面図、図１６はこの発明の第４実施例である壁面パネルを取り付けた状態の切欠と挿入片との関係を示す説明図であり、図１〜図１４と同一または相当部分に同一符号を付し、その説明を省略する。
【００４０】
図１５（ａ），（ｂ）において、５１は壁面パネルを示し、例えば、横が８００ｍｍの長さで、縦が２５０ｍｍの高さで、奥行き（厚み）が３５ｍｍとされた壁面パネル本体５２と、この壁面パネル本体５２の裏側の上側（例えば、上縁、上縁近傍）に壁面パネル本体５２の重心を挟んで左右方向へ、例えば、左端から２００ｍｍ（全体の長さの１／４）の位置、および、右端から２００ｍｍ（全体の長さの１／４）の位置に位置させ、縦方向（垂直方向）に起立させて設けられた２つの継手５３と、この２つの継手５３に対応する壁面パネル本体５２の裏側の下側（例えば、下縁、下縁近傍）に、すなわち、左右端から長さの１／４の位置に設けられ、下側の壁面パネル本体５２に設けられた継手５３の切欠５３ｂ内へ挿入する挿入部としての、２つの挿入片５４Ａとで構成されている。
そして、継手５３には、後側の下側に、下側へ開放する凹部５３ａが設けられ、この凹部５３ａよりも前側の上側に、上側へ開放して壁面パネル本体５２の裏側に位置する収容部としての切欠５３ｂが設けられている。
【００４１】
この第４実施例の壁面パネル５１を使用して壁面を構築する場合は、図１〜図１１に示したいずれかの取付方法により、躯体に取り付けて壁面を構築することができる。
なお、凹部５３ａと切欠５３ｂおよび挿入片５４Ａとの位置関係から、挿入片５４Ａを切欠５３ｂの後面へ押し付けるように壁面パネル５１が回動するので、挿入片５４Ａが切欠５３ｂ内で前後方向へがたつかないはずであるが、挿入片５４Ａが切欠５３ｂ内で前後方向へがたつく恐れがある場合は、図１６に示すように、固定剤５８（弾性接着剤や弾性シーリング剤などの弾性固定剤、または、接着剤やシーリング剤などの固定剤）で、挿入片５４Ａを切欠５３ｂ内に固定すると、挿入片５４Ａが切欠５３ｂ内で前後方向へがたつくのを防止することができる。
【００４２】
この第４実施例の壁面パネル５１においても、第１実施例の壁面パネル５１と同様な効果を得ることができる。
【００４３】
図１７（ａ）はこの発明の第５実施例である壁面パネルの裏面図、図１７（ｂ）は図１７（ａ）に示した壁面パネルの右側面図、図１８はこの発明の第５実施例である壁面パネルを取り付けた状態における上下の壁面パネルの関係を示す説明図であり、図１〜図１６と同一または相当部分に同一符号を付しし、その説明を省略する。
【００４４】
図１７（ａ），（ｂ）において、５１は壁面パネルを示し、例えば、横が８００ｍｍの長さで、縦が２５０ｍｍの高さで、奥行き（厚み）が３５ｍｍとされた壁面パネル本体５２と、この壁面パネル本体５２の裏側の上側（例えば、上縁、上縁近傍）に壁面パネル本体５２の重心を挟んで左右方向へ、例えば、左端から２００ｍｍ（全体の長さの１／４）の位置、および、右端から２００ｍｍ（全体の長さの１／４）の位置に位置させ、縦方向（垂直方向）に起立させて設けられた２つの継手５３とで構成されている。
そして、壁面パネル本体５２の下面には左右方向へ貫通する凹部５５が設けられ、また、壁面パネル本体５２の下面には、上記した凹部５５に係合する凸部５６が左右方向に設けられている。
そして、継手５３には、後側の下側に、下側へ開放する凹部５３ａが設けられている。
【００４５】
この第５実施例の壁面パネル５１を使用して壁面を構築する場合は、図１〜図１１に示したいずれかの取付方法のようにすることにより、躯体に取り付けて壁面を構築することができる。
なお、取り付けた状態における上下の上下の壁面パネル５１は、図１８に示すように、壁面パネル本体５２同士が接触（当接）せず、凸部５６が凹部５５の天井（上端）に当接しないので、上側の壁面パネル５１の継手５３が三角形軸部４２から浮くのを防止することができ、また、上側の壁面パネル５１の下端部が前後方向へがたつくのを防止することができる。
【００４６】
この第５実施例の壁面パネル５１においても、第１実施例の壁面パネル５１と同様な効果を得ることができる。
【００４７】
上記した説明（例）では、壁面パネル本体５２の裏面に断熱材を配置しない例を示したが、壁面パネル本体５２の裏面に断熱材を配置したり、内壁パネル１１と壁面パネル本体５２と間に断熱材を充填することにより、さらに断熱効果を得ることができる。
また、壁面パネル５１を破れ目地（縦方向の目地が階段状になる状態）で取り付ける例を示したが、壁面パネル５１は、芋目地（縦方向の目地が直線になる状態）で躯体に取り付けて壁面を構築することもできる。
このように、壁面パネル５１を芋目地で躯体に取り付ける場合は、継手５３、弾性挿入片５４（または挿入片５４Ａ）を左右端から長さの１／４の位置に設けずに、壁面パネル本体５２の裏側の上側（例えば、上縁、上縁近傍）の所定の位置に継手５３を２つ設けるとともに、この２つの継手５３に対応する壁面パネル本体５２の裏側の下側（例えば、下縁、下縁近傍）の位置にそれぞれ弾性挿入片５４（または挿入片５４Ａ）を設ければよい。
そして、壁面パネル本体５２の裏側の上側（例えば、上縁、上縁近傍）に壁面パネル本体５２の重心を挟んで左右方向へ、左右端から長さの１／４である２００ｍｍの位置に継手５３を設けた例を示したが、壁面パネル本体５２の裏側の上側（例えば、上縁、上縁近傍）に壁面パネル本体５２の重心を挟んだ左右方向に２つの継手５３が設けられていれば、重心から２つの継手５３までの距離が等距離でなくても、また、左右端から２つの継手５３までの距離が等距離でなくても、同様な効果を得ることができる。
また、受け部２１ｃまたは三角形軸部４２（受け部）に弧面で移動可能に接する取付部を凹部５３ａまたは円形孔５３ｃとした例を示したが、受け部に弧面で移動可能に接する取付部であれば、凹部５３ａまたは円形孔５３ｃ以外の凹部または孔であっても、同様な効果を得ることができる。
そして、躯体の受け部として受け部２１ｃまたは三角形軸部４２を示したが、多角形軸部などの他の形状の受け部であってもよい。
また、第１実施例〜第４実施例（図１〜図１６に示した実施例）における、切欠５３ｂ（収容部）と収容部５３ｄとを入れ換えても、また、弾性挿入片５４と挿入片５４Ａとを入れ換えても、同様な効果を得ることができる。
また、第５実施例では凹部５５および凸部５６を壁面パネル本体５２の左端から右端まで設けた例を示したが、凹部および凸部（相補的係合部）は、継手５３と同様に、壁面パネル５１を破れ目地または芋目地で躯体に取り付けて壁面を構築することができる位置、長さに設けられていればよい。
そして、壁面パネル本体５１の下面に設けた凹部５５と、壁面パネル本体５１の上面に設けた凸部５６とを入れ換えても、同様な効果を得ることができる。
また、遮音壁、断熱壁などの壁面を構築する場合を示したが、複数の支柱材２１（躯体）の対向する各片に、図１９の側面図に相当する説明図に示すように、図９〜図１１に示した取付方法（または、パネル継手３１および受け部材４１を用いた取付方法）で壁面パネル５１を取り付けることにより、両面に取壁面パネル５１を配置した塀を構築することができる。
このように、塀を構築する場合、壁面と同様に、支柱材２１の片面に壁面パネル５１を取り付けた塀とすることもできる。
【図面の簡単な説明】
【００４８】
【図１】（ａ）はこの発明の第１実施例である壁面パネルの裏面図、（ｂ）は図１（ａ）に示した壁面パネルの右側面図である。
【図２】この発明の第１実施例である壁面パネルの第１取付方法に使用する支柱材、パネル継手、受け部材などを示す分解斜視図である。
【図３】（ａ）はこの発明の第１実施例である壁面パネルを第１取付方法で取り付けた状態の正面図に相当する説明図、（ｂ）は図３（ａ）に示した壁面パネルの取付状態の右側面図に相当する説明図である。
【図４】この発明の第１実施例である壁面パネルを第１取付方法で取り付けた状態の平面図に相当する説明図である。
【図５】この発明の第１実施例である壁面パネルを第１取付方法で取り付けた状態の右側面図に相当する説明図である。
【図６】（ａ）はこの発明の第１実施例である壁面パネルを第１取付方法で取り付けた状態におけるパネル継手と受け部材との位置関係を示す説明図、（ｂ）はこの発明の第１実施例である壁面パネルを第１取付方法で取り付けた状態における継手と受け部材との位置関係などを示す説明図である。
【図７】受け部のメカニズムを示す説明図である。
【図８】この発明の第１実施例である壁面パネルの第２取付方法に使用する支柱材、パネル継手、受け部材などを示す分解斜視図である。
【図９】この発明の第１実施例である壁面パネルの第３取付方法に使用する受け部を示す斜視図である。
【図１０】この発明の第１実施例である壁面パネルを第３取付方法で取り付けた状態の平面図に相当する説明図である。
【図１１】この発明の第１実施例である壁面パネルを第３取付方法で取り付けた状態の右側面図に相当する説明図である。
【図１２】この発明の第２実施例である壁面パネル、および、この発明の第２実施例である壁面パネルの第１取付方法に使用する支柱材、パネル継手、受け部材などを示す分解斜視図である。
【図１３】この発明の第２実施例である壁面パネル、および、この発明の第２実施例である壁面パネルの第２取付方法に使用する支柱材、パネル継手、受け部材などを示す分解斜視図である。
【図１４】（ａ）はこの発明の第３実施例である壁面パネルの裏面図、（ｂ）は図１４（ａ）に示した壁面パネルの右側面図である。
【図１５】（ａ）はこの発明の第４実施例である壁面パネルの裏面図、（ｂ）は図１５（ａ）に示した壁面パネルの右側面図である。
【図１６】この発明の第４実施例である壁面パネルを取り付けた状態の切欠と挿入片との関係を示す説明図である。
【図１７】（ａ）はこの発明の第５実施例である壁面パネルの裏面図、（ｂ）は図１７（ａ）に示した壁面パネルの右側面図である。
【図１８】この発明の第５実施例である壁面パネルを取り付けた状態における上下の壁面パネルの関係を示す説明図である。
【図１９】壁面パネルで塀を構築した側面図に相当する説明図である。
【図２０】従来の壁面パネル、および、従来の壁面パネルの取付方法の一例を示す平面図に相当する説明図である。
【符号の説明】
【００４９】
１      内壁パネル（躯体）
２      支柱材（躯体）
３      取付ねじ（タップねじ）
４      壁面パネル
５      断熱材
６      取付ねじ（タップねじ）
１１    内壁パネル（躯体）
２１    支柱材（躯体）
２１ａ  取付孔
２１ｂ  挿通孔
２１ｃ  受け部
２２    取付ねじ（タップねじ）
３１    パネル継手（躯体）
３２Ａ  支持片
３２ａ  三角形孔（受け部保持部）
３２ｂ  凹部（受け部保持部）
３２Ｂ  取付片
３３    ボルト
３４    ナット
４１    受け部材
４２    三角形軸部（受け部）
４２ａ  貫通孔
４３    頭部
４４    止めピン
５１    壁面パネル
５２    壁面パネル本体
５３    継手
５３ａ  凹部
５３ｂ  切欠（収容部）
５３ｃ  円形孔
５３ｄ  収容部
５４    弾性挿入片（挿入部）
５４Ａ  挿入片（挿入部）
５５    凹部
５６    凸部
５８    固定剤
【図１】
0005264162.tif 000002
【図２】
0005264162.tif 000003
【図３】
0005264162.tif 000004
【図４】
0005264162.tif 000005
【図５】
0005264162.tif 000006
【図６】
0005264162.tif 000007
【図７】
0005264162.tif 000008
【図８】
0005264162.tif 000009
【図９】
0005264162.tif 000010
【図１０】
0005264162.tif 000011
【図１１】
0005264162.tif 000012
【図１２】
0005264162.tif 000013
【図１３】
0005264162.tif 000014
【図１４】
0005264162.tif 000015
【図１５】
0005264162.tif 000016
【図１６】
0005264162.tif 000017
【図１７】
0005264162.tif 000018
【図１８】
0005264162.tif 000019
【図１９】
0005264162.tif 000020
【図２０】
0005264162.tif 000021